(57)【特許請求の範囲】
【請求項１】
サーベイメータとして構成される可搬型の放射線測定器において、
目標方向に向けられ測定対象からの放射線を検出する放射線検出部と、
放射線測定箇所の光学像を撮影する撮像手段と、
を有し、
前記撮像手段の光学像取込部は、前記放射線検出部において前記目標方向を向くように設けられ、
前記光学像取込部の受光開口が前記放射線検出部の有感面と同一平面上であって前記有感面における中央部分に配置された、
ことを特徴とする放射線測定器。
【請求項２】
目標方向に向けられる測定器前面及びその反対側の測定器後面を有し、サーベイメータとして構成される可搬型の放射線測定器において、
目標方向に向けられ測定対象からの放射線を検出する放射線検出部であって、前記測定器前面に設けられた有感面を有する放射線検出部と、
放射線測定箇所の光学像を撮影するために前記目標方向を向くように前記測定器前面に設けられた光学像取込部と、前記光学像取込部に取り込まれる前記光学像を前記測定器後面において観察できるように操作者に提示するファインダ窓と、
を有することを特徴とする放射線測定器。
【発明の詳細な説明】
【０００１】
【発明の属する技術分野】
本発明は、放射線測定器に関し、特に、測定対象及びその位置が容易かつ精度良く特定された放射線測定を行うことを可能とする放射線測定器に関する。
【０００２】
【従来の技術】
小型軽量に設計された可搬型の放射線測定器はサーベイメータと呼ばれている。サーベイメータは放射線施設内等を自由に持ち運ぶことができ、所望の箇所の放射線を計測することができる。このような可搬型の放射線測定器を使用する際には一般に放射線測定値だけでなく、測定条件としてどの位置から何を測定したかも記録する必要がある。従来、測定対象及び測定位置を記録する方法として、測定者が観察した状況を書き記したり、カメラを用いて撮影するという方法があった。また測定対象と放射線測定器との距離については、測定者がメジャー等の器具を用いて測り、書き留めるという方法が行われていた。
【０００３】
【発明が解決しようとする課題】
上述のように従来は測定対象及び測定位置の記録は、放射線測定器の操作とは別の作業として行われていた。すなわち、測定対象を写真として記録するためには、放射線測定器とは別にカメラを携帯し、放射線測定と前後して当該カメラを用いて測定対象を撮影するという作業が必要であり、また測定対象までの距離を記録するためにはメジャー等を用いて計測を行うという作業が必要であった。また、写真の番号や計測された距離を放射線測定値と関連づけて書き留めるといった作業も必要であった。
【０００４】
このような別々の測定や撮影といった作業を各測定個所ごとに行うことは煩雑であるという問題があった。また放射線測定器とカメラとの位置、向きを一致させたり、一人で放射線測定器と測定対象との距離をメジャーで測るという作業を精度良く行うことは難しかった。さらに多数箇所についての測定結果を手作業で記録したり整理する際に、各種測定値や写真の相互の対応付けを誤る可能性もあった。これらの点で測定条件、ひいては測定結果の信頼性が十分に得られないという問題もあった。
【０００５】
また、測定箇所が狭い場合や暗い場合には測定対象を特定したり、カメラやメジャーを取り扱うことが難しいという問題もあった。
【０００７】
【課題を解決するための手段】
後述する実施形態に係る構成は、サーベイメータとして構成される可搬型の放射線測定器において、目標方向に向けられ測定対象からの放射線を検出する放射線検出部と、放射線測定箇所の光学像を撮影するために前記目標方向を向くように設けられた光学像取込部と、を備え、放射線測定時に一方の手で保持される放射線プローブと、前記放射線プローブがケーブルを介して接続された本体であって、前記放射線検出器からの信号に基づいて測定値を計数する計数部と、前記測定値を表示する表示メーターと、前記光学像取込部により取り込まれた前記光学像を表示する画像表示手段と、を有し、放射線測定時に他方の手で保持される可搬型の本体と、を有し、前記放射線プローブにおいて、前記放射線検出部の有感面に隣接して前記光学像取込部が設けられたものである。
【０００８】
上記構成によれば、放射線測定器自体が撮像手段を有し、放射線測定箇所の光学像を撮影することができる。撮像手段の光学像取込部は放射線検出部の有感面に隣接して設けられ、放射線検出部と共に目標方向に向けられる。これにより、撮像手段は放射線検出部の位置から見た放射線測定箇所の光学像を撮影することができる。特に測定対象が特定の有体物である場合には、目標方向は測定対象に向けて定められ、当該測定対象を放射線測定箇所の光学像に捉えることができる。また、測定対象が直接、目に見えない物、例えばその場所における放射線量である場合でも、撮像手段により得られた光学像から、どの場所で放射線検出部がどの方向に向けられて放射線測定が行われたかが特定される。
【０００９】
望ましくは、放射線測定器が、前記放射線プローブに設けられ前記目標方向を照らす照明手段を有する。
【００１０】
上記構成によれば、放射線プローブに光学像取込部と共に照明手段を設けることにより、光学像取込部を向けられた目標方向が照らされる。これにより、目標方向が暗い場合であっても、目標方向の光学像の撮影が可能となる。
【００１１】
望ましくは、前記撮像手段が、撮影した前記光学像と、当該光学像撮影時における前記放射線検出部の検出結果とを関連づけて記録する。
【００１２】
上記構成によれば、撮影された光学像と、当該光学像撮影時における放射線検出部の検出結果との対応関係に誤りが生じることが抑制される。
【００１６】
本発明によれば、放射線検出部の有感面と光学像取込部の受光開口とが、実質的に同じ位置に位置する。これにより、撮影される光学像は、放射線検出部の有感面から見たものと精度良く一致する。本発明の好適な態様においては、前記受光開口が前記放射線検出部の前記有感面の中央部分に配置される。これにより、放射線検出部が対向する箇所と光学像取込部により光学像が取り込まれる箇所とのずれが抑制される。
【００１７】
望ましくは、前記光学像取込部が、端部に撮像用光学系を備えた光ファイバーである。
【００１８】
望ましくは、放射線プローブに、更に、前記測定対象と前記放射線検出部との距離を測定する距離測定手段が設けられる。
【００１９】
上記構成によれば、放射線測定器自体に距離測定手段を備えることにより、放射線測定時における、測定対象と放射線検出部との距離を容易かつ精度良く測定することができる。
【００２０】
望ましくは、前記距離測定手段を備えたものにおいて、前記放射線検出部による放射線の検出結果と当該放射線の検出時の前記距離とを関連づけて記録する測定結果記録手段を有するものである。また、望ましくは、前記撮像手段と前記距離測定手段とを備えたものにおいて、前記放射線検出部による放射線の検出結果と当該放射線の検出時の前記光学像及び前記距離とを関連づけて記録する測定結果記録手段を有するものである。
【００２１】
これらの構成によれば、放射線検出部の検出結果と測定対象までの距離との対応関係、又は放射線検出部の検出結果と、放射線検出時の光学像及び測定対象までの距離との対応関係に誤りが生じることが抑制される。
【００２２】
後述する実施形態に係る放射線測定器は、本体から引き出され目標方向に向けられる放射線プローブを有する放射線測定器において、放射線測定箇所の光学像を取り込む光学像取込部と、取り込まれた前記光学像に応じたイメージを生成する感光部とを含む撮像手段を有し、前記光学像取込部は、前記放射線プローブに前記目標方向を向くように設けられる。
【００２３】
上記構成によれば、撮像手段の光学像取込部が放射線検出部に設けられ、放射線検出部と共に目標方向に向けられる。これにより、撮像手段は放射線検出部の位置から見た目標方向の光学像を撮影することができる。また撮像手段の感光部は放射線測定器の本体に設けられ、光学像取込部から得られた光学像に応じたイメージを例えば電気的又は化学的作用によって生成する。感光部を本体に設けることにより、放射線検出部が一層、小型軽量化され、これを測定対象に向けるといった取り扱い作業が容易になる。
【００２４】
望ましくは、前記光学像取込部から前記感光部へ前記光学像を伝達する光ファイバーを有し、前記感光部が前記本体部に設けられ、前記光ファイバーが前記放射線プローブと前記本体部とを接続するケーブルと一体に構成される。本態様によれば、本体と放射線検出部とが簡潔に接続される。
【００２５】
本発明は、サーベイメータとして構成される可搬型の放射線測定器において、目標方向に向けられ測定対象からの放射線を検出する放射線検出部と、放射線測定箇所の光学像を撮影する撮像手段と、を有し、前記撮像手段の光学像取込部は、前記放射線検出部において前記目標方向を向くように設けられ、前記光学像取込部の受光開口が前記放射線検出部の有感面と同一平面上であって前記有感面における中央部分に配置されたものである。
本発明は、目標方向に向けられる測定器前面及びその反対側の測定器後面を有し、サーベイメータとして構成される可搬型の放射線測定器において、目標方向に向けられ測定対象からの放射線を検出する放射線検出部であって、前記測定器前面に設けられた有感面を有する放射線検出部と、放射線測定箇所の光学像を撮影するために前記目標方向を向くように前記測定器前面に設けられた光学像取込部と、前記光学像取込部に取り込まれる前記光学像を前記測定器後面において観察できるように操作者に提示するファインダ窓と、を有するものである。
【００２６】
本発明によれば、放射線測定時には、操作者は目標方向に向かって放射線測定器を自分の顔前に構える。このとき放射線に対する有感面と光学像取込部とが配置された放射線測定器の前面は目標方向に向けられ、ファインダが操作者の眼前に置かれる。操作者はファインダ内に所望の測定対象や背景を捉えるように放射線測定器の向きを調節することにより目標方向を定めることができ、その目標方向の放射線測定と光学像の撮影とが行われる。この放射線測定器の向きの調節は、操作者が測定対象等を見るという動作と一体化して行われるため、容易・迅速に行うことができる。
【００２７】
【発明の実施の形態】
次に、本発明の実施形態について図面を参照して説明する。
【００２８】
［実施形態１］
図１は、本発明の実施形態であるＧＭサーベイメータの全体構成の模式図である。また、図２は本装置の概略のブロック図である。本装置は放射線プローブ２、本体４及びこれら両者を接続するケーブル６を含んで構成される。放射線プローブ２は放射線検出部として端窓型ＧＭ（ガイガー・ミュラー）計数管８を備える。ＧＭ計数管８は本体４に備わる電源から高電圧を印加され、入射した放射線により生じたチャージを増倍して電気パルスを発生する。放射線プローブ２はＧＭ計数管８の有感面である端窓１０を測定対象に向けられ、端窓１０から入射した放射線に応じて発生する電気パルスを本体４へ出力する。
【００２９】
本放射線測定器の特徴の１つは測定対象を撮影する撮像手段を備える点にあり、放射線プローブ２は当該撮像手段の構成要素として、測定対象の光学像を取り込む光学像取込部１２を備えている。光学像取込部１２は、ＧＭ計数管８の端窓１０に並んで配置される光学レンズ１４と、端面が光学レンズ１４に光学的に結合された光ファイバー１６とを含んで構成される。光学レンズ１４は放射線プローブ２と共に測定対象に向けられ、その像を生成する。そして、この像が光ファイバー１６に入力される。
【００３０】
光学レンズ１４は端窓１０に隣接し、かつ端窓１０と同一の平面上に配置される。これにより、端窓１０の位置から見たのとほぼ同じ測定対象物の像が撮像手段に取り込まれる。
【００３１】
本装置の撮像手段は、本体４に画像信号生成部１８を有する。光学像取込部１２にて取り込まれた測定対象像は、光ファイバー１６によって本体４側の画像信号生成部１８に伝送される。
【００３２】
撮像手段を備えることに関連した特徴的構成として、放射線プローブ２は測定対象を照らす照明部２０を備えている。照明部２０は本体４から電源等の制御を受けて点灯するように構成することができる。例えば、本装置では画像信号生成部１８が光学像取込部１２から取り込まれた光学像の明るさを判定し、その判定結果に基づいて照明部２０の照明用電源２２が制御され、照明のオン／オフや発光量が制御される。この照明部２０により、測定対象が暗い場合であっても、その画像を好適に撮影することができる。
【００３３】
また、放射線プローブ２が測定対象までの距離を測定するための距離測定部２４を有することも本放射線測定器の特徴である。距離測定部２４としては、自動焦点カメラ等で用いられている種々の方式を採用することができる。本装置は例えば、発射した赤外線の反射光を観測するアクティブ方式を採用する。距離測定部２４は、赤外線レーザ発光素子と一次元ＣＣＤ（Charge Coupled Device：電荷結合素子）センサとを備えている。赤外線レーザ発光素子は放射線プローブ２に対し所定角度をなすように赤外線レーザビームを出射し、一次元ＣＣＤセンサによってその反射スポットの位置が検知される。そして一次元ＣＣＤセンサ上での反射スポット像の検知位置とビーム出射位置との距離に基づいて、放射線プローブ２と測定対象との距離を求めることができる。
【００３４】
本実施形態ではケーブル６は、従来同様の本体４からＧＭ計数管８への電源供給及びＧＭ計数管８から本体４への電圧パルスの伝達を行う電気信号線２６だけでなく、光ファイバー１６と、距離測定部２４及び照明部２０と本体４とを接続するための電気信号線２８とが一体に束ねられている。例えば、ケーブル６は、１つの被覆チューブ内に各電気信号線と光ファイバー１６とが通されたものである。このように放射線プローブ２と本体４とをつなぐ電気信号線及び光ファイバー１６を１本のケーブル６とすることにより、電気信号線と光ファイバー１６とが互いに絡まることが防止され、放射線プローブ２の引き回しが容易となる。しかし、必ずしも１本のケーブルとしなくても良い。
【００３５】
本体４は放射線計数部３０を有し、ＧＭ計数管８から出力された電圧パルスをカウントし、測定値を表示メータ３２に表示する。また本体４には前述したように画像信号生成部１８が内蔵されている。この画像信号生成部１８は、光学像取込部１２から取り込まれ光ファイバー１６で伝送されてきた光学像を電気的な画像信号に変換する。光学像から電気信号への変換は例えば、光ファイバー１６の終端にレンズ３４を用いて光学的に結合されたＣＣＤイメージセンサ３６等の撮像素子を用いて行われる。画像信号生成部１８の映像信号処理回路３８はＣＣＤイメージセンサ３６からの電気信号に基づいて映像信号を生成する。
【００３６】
本装置は画像信号生成部１８にて生成された映像信号を表示するディスプレイ（画像表示手段）４０を有している。ディスプレイ４０は、例えば、ＬＣＤ（Liquid Crystal Display：液晶表示器）等、小型軽量化が容易なパネルタイプの表示器を用いて構成することができる。パネル状のディスプレイ４０は、ヒンジなどを用いて折り返し収納可能なように本体４に取り付けることができ、使用しないときには折り畳んで収納することにより、放射線測定器の小型化を図ることができる。ディスプレイ４０は例えば表示メータ３２上に折り返して重なるように設けることができる。このような配置は、表示メータ３２とディスプレイ４０との重なり合う面が基本的に平面であるので好都合であると共に、使用時にディスプレイ４０を展開すると表示メータ２０とディスプレイ４０とが隣接配置されることになるので操作者がこれら両方を一体的に監視することができるという点でも好都合である。
【００３７】
本体４には、距離測定部２４からの信号に基づいて距離を算定する距離算定部５０が設けられる。算定された距離は例えばデジタル表示で距離表示部５２に表示される。
【００３８】
ディスプレイ４０に放射線の測定値若しくは測定対象の距離又はそれら両方を、測定対象の画像と共に表示するように構成することもできる。この場合、映像信号処理回路３８には、放射線計数部３０から放射線測定値が、また距離算定部５０から測定距離が入力される。なお、このように表示メータ３２や距離表示部５２の機能をディスプレイ４０で兼ねる構成では、表示メータ３２や距離表示部５２を設けないことも可能である。
【００３９】
本装置は、メモリ素子等を用いて構成された測定結果記録部６０を内蔵し、これに、放射線測定対象ごとの画像信号と放射線測定値や測定距離とを関連づけて記憶させることができる。また、画像信号、放射線測定値にさらに測定日時等の他のデータを関連づけて記録するように構成することもできる。
【００４０】
なお、本体４にデータ出力端子を設け、当該端子に測定結果記録装置を外部接続し、これに画像信号及び放射線測定値を記録するようにしてもよい。例えば、測定結果記録装置としてはＶＴＲ（Video Tape Recoder）を用いることができ、ビデオテープに測定対象と共に放射線測定値や測定距離が表示された画像信号を記録することができる。また、本体４と測定結果記録装置との間の信号伝達手段として、ケーブル接続に代えて、無線伝送を用いることもできる。
【００４１】
放射線プローブ２は不使用時には本体４の持ち手７０に係止され、持ち運びの便宜が図られる。一方、使用時には放射線プローブ２は持ち手７０から取り外され、操作者は例えば一方の手で持ち手７０を持って本体４を携帯し、本体４から引き出された放射線プローブ２を他方の手に持って測定対象に向け、放射線測定を行う。このときディスプレイ４０には放射線プローブ２が向けられた方向の画像が表示されるので、操作者は測定対象を確認することが容易である。
【００４２】
放射線プローブ２から取り込まれる測定対象の画像及び当該測定対象に対応する各種データを連続して記録するようにしてもよいし、所望の測定対象についての測定結果のみ記録するようにすることもできる。後者の場合には、操作者はディスプレイ４０に目標とする測定対象が表示されていることを確認した上で記録ボタンを操作し、これによりそのタイミングの画像と各種データが記録される。なお、記録ボタンは、操作者が放射線プローブ２、本体４を携帯しながら操作できる位置に設けられると都合がよい。この観点から記録ボタンは例えば、操作者が手で握る放射線プローブ２の側面や、持ち手７０に配置することができる。
【００４３】
［実施形態２］
図３は、本発明の第２の実施形態であるシンチレーション式サーベイメータの放射線プローブの模式図である。図３において、上記第１の実施形態と同様の機能を有する構成要素には同一の符号を付して説明を簡単とする。
【００４４】
放射線プローブ１００は、放射線検出部としてシンチレータ板１０２を用いている。シンチレータ板１０２は例えばプラスチックシンチレータを用いて構成される。シンチレータ板１０２には光電子増倍管１０４がライトガイド１０６を介して接続される。シンチレータ板１０２、ライトガイド１０６は遮光フィルム等で遮光され、光電子増倍管１０４には外部からの光が漏れ込まないように構成される。シンチレータ板１０２に放射線が入射し、シンチレーション光が発生すると、この光が光電子増倍管１０４に導かれ、光電変換及び増倍されて、電気パルスとして本体４へ出力される。この放射線プローブ１００は、シンチレータ板１０２の平面部分を測定対象に近づけられ、その表面汚染を検知する。
【００４５】
シンチレータ板１０２の平面部分には、その部分を覆う遮光フィルムの破損の発生を防ぐために例えば格子状の補強枠が設けられる。本放射線プローブではこの補強枠に撮像用の光学レンズ１４、照明用のライトレンズ１１０が取り付けられる。光学レンズ１４をシンチレータ板１０２の中央部分に取り付けると、シンチレータ板１０２が対向する箇所と撮像箇所とのずれを抑制することができるので、測定対象を精度良く撮影することができるという点で好適である。ライトレンズ１１０には、電球等の発光体から光ファイバーを介して照明光が導かれる。この照明光がライトレンズ１１０からシンチレータ板１０２が面する測定対象へ照射される。光学レンズ１４には光ファイバー１６が光学的に結合され、光学レンズ１４から取り込まれた光学像がこの光ファイバー１６を介して本体４の画像信号生成部１８へ導かれる。
【００４６】
本体４と放射線プローブ１００との間を接続する各種電気信号線及び光ファイバーはケーブル６に束ねられていても良いし、束ねられていなくても良い。また、本体４の構成は上記第１の実施形態と同様に構成することができる。
【００４７】
［実施形態３］
図４は、本発明の第３の実施形態であるカメラ型放射線測定器の模式図である。図４において、上記第１の実施形態と同様の機能を有する構成要素には同一の符号を付して説明を簡単とする。
【００４８】
本装置は箱形の筐体２００の前面に光学像取込部１２である撮像用レンズ系２０２、放射線検出部の有感面２０４、照明部２０であるフラッシュ２０６及び距離測定部２４である距離計２０８を配置されている。また本装置の前面から後面まで貫通する透過型のファインダ２１０が設けられている。
【００４９】
操作者は、本装置を自分の眼前に構え、ファインダ２１０の後面側の窓から覗いて、当該ファインダ２１０内に測定対象を捉えるように本装置の向きを合わせる。本装置はこの状態で撮像用レンズ系２０２、有感面２０４、フラッシュ２０６及び距離計２０８が全て測定対象を向くように構成される。すなわち、本装置のこれら各種機構は、操作者が測定対象を見るという動作に連動して測定対象に向けられる。また、測定対象までの距離を測定する目的からは、距離計２０８は有感面２０４に近いほど望ましい。
【００５０】
筐体２００の例えば上面にはスイッチ２２０が設けられる。また、フラッシュ２０６が設けられており、測定箇所が暗い場合、フラッシュ２０６を使用して撮影を行うことができる。
【００５１】
また、スイッチ２２０に連動して有感面２０４に入射する放射線量の測定が開始される。放射線測定中、操作者はファインダ２１０内に測定対象が入っているように本装置を保持する。所定時間の放射線測定が完了すると、音やファインダ内へのＬＥＤ（Light Emission Diode：発光ダイオード）表示などによって操作者に通知される。放射線の測定結果は表示部２２２に表示される。なお、表示部２２２の放射線測定値及び距離測定値の表示は、測定完了してから操作者が表示部２２２を見るという動作を行うのに十分な所定時間、ホールドされる。また筐体２００の例えば上面には放射線測定のレンジ切り換えを行う切り換えスイッチ２２４を配することができる。
【００５２】
感光部は、ＣＣＤイメージセンサ等の撮像素子を用いて構成することができるし、また、写真フィルムに感光、記録する構成も可能である。
【００５３】
本装置は感光部に撮像素子を用いて、光学像を電気的な映像信号に変換する。この映像信号は、放射線測定値や距離測定値等の他のデータと関連づけられて磁気ディスクやメモリカードに記録される。なお、本装置は筐体２００の例えば側面に、磁気ディスク又はメモリカードの挿入部２２６を有している。写真フィルムに光学像を記録する場合には各種測定値を当該フィルムに焼き付ける手段を設けることにより、光学像と各種測定値とを一体に記録することができる。また、写真フィルムによる撮像方式としてＡＰＳ（Advanced Photo System）を採用する場合には、当該システムのフィルムが有する磁気記録部分に各種関連データを記録することができる。
【００５４】
上述の放射線測定器は放射線測定対象の静止画を記録するものであったが、撮像素子からの映像信号をビデオテープに記録するＶＴＲを放射線測定器に搭載し、測定対象の動画像を記録するように構成することもできる。このような動画像を記録できる放射線測定器を用いれば、連続的な放射線測定が可能となる。
【００５５】
ファインダ２１０としては、上述のような単純な覗き窓の他、ＬＣＤパネルを用いた構成も可能である。この場合、撮像用レンズ２０２から取り込まれた光学像が撮像素子により映像信号に変換され、この映像信号がＶＴＲにより記録されると共に、ＬＣＤパネルに表示される。また放射線測定値や距離測定値、測定日時等の関連データは、映像信号と共にＶＴＲにより記録されると共に、ＬＣＤパネルにも表示することができる。
【００５６】
【発明の効果】
本発明の放射線測定器によれば、放射線検出部に光学像取込部を備えることにより、放射線測定と同時に、放射線検出部と同じ位置からの測定対象像を撮影することができる。操作者はこの測定対象像を確認しながら放射線測定を行うことができるので、意図した測定対象を正確に捉えて放射線測定することができるという効果がある。また撮影された測定対象像と放射線測定結果とを関連づけて記録することにより、事後のデータ整理に際し、容易に測定対象を把握することができ、また実際とは異なる物を測定対象としてしまう誤りが防止される効果がある。
【００５７】
また、放射線検出部に光学像取込部と共に、照明手段を設けることにより、暗い場所や放射線検出部の影になるような場合であっても測定対象の画像を良好に得ることができる効果がある。
【００５８】
また、放射線検出部に距離測定手段を設けることにより、放射線測定時の放射線検出部と測定対象との距離を容易かつ正確に計測することができる効果がある。
【図面の簡単な説明】
【図１】  本発明の第１の実施形態であるＧＭサーベイメータの全体構成の模式図である。
【図２】  本発明の第１の実施形態である放射線測定器の概略のブロック図である。
【図３】  本発明の第２の実施形態であるシンチレーション式サーベイメータの放射線プローブの模式図である。
【図４】  本発明の第３の実施形態であるカメラ型放射線測定器の模式図である。
【符号の説明】
２  放射線プローブ、４  本体、６  ケーブル、８  ＧＭ計数管、１２  光学像取込部、１４  光学レンズ、１６  光ファイバー、１８  画像信号生成部、２０  照明部、２４  距離測定部、３０  放射線計数部、３２  表示メータ、４０ディスプレイ、５０  距離算定部、５２  距離表示部、６０  測定結果記録部。
【図１】
0004414044.tif 000002
【図２】
0004414044.tif 000003
【図３】
0004414044.tif 000004
【図４】
0004414044.tif 000005